(57)【特許請求の範囲】
【請求項１】
偏平形ブラシレス直流モータの両側に出力軸を配設してこれらの出力軸にワンウェイローラー型のクラッチを介してモータの左右に各ポンプのポンプ回転軸をそれぞれ係合して、モータの回転方向により一方のポンプを駆動して他方のポンプを停止状態とし、
上記直流モータとしてポンプ負荷の大きい方のモータ容量とし、小さい方の負荷のポンプを作動するときにはその小さな最適な出力まで低下して効率よく駆動するようにしたことを特徴とするタンデムポンプ。
【請求項２】
モータの両側のブラケット部にワンウェイローラー型のクラッチ取付部をそれぞれ配設し、このクラッチ取付部にワンウェイローラー型のクラッチを装着してポンプ回転軸をそれぞれ軸着した請求項１に記載のタンデムポンプ。
【請求項３】
２台のポンプが同時に動作しない食器洗浄用のもので、１台のポンプは洗浄液の循環用で、他の１台のポンプは濯ぎの温水圧送用である請求項１または２に記載のタンデムポンプ。
【発明の詳細な説明】
【０００１】
【発明の属する技術分野】
本発明は、ポンプ分野における食器洗浄用等の同時に２台のポンプが運転されることがないタンデムポンプに関する。
【０００２】
【従来の技術】
例えば、食器洗浄器では、通常２台のポンプが設置されているが、１台は洗浄用で洗浄液の循環、もう１台は濯ぎの温水の圧送用で配管途中でリンス液を混入し、食器に噴射するものである。
【０００３】
これらの２台のポンプは同時に動作することはなく、先ず洗浄用のポンプが作動し、次に濯ぎ用のポンプが作動する。
【０００４】
【発明が解決しようとする課題】
しかし、２台のポンプを同時に動作させることがなくとも、別々にポンプを設置し、それぞれ単独で動作させているもので、例えば４００Ｗと２００Ｗのポンプが必要であれば、合計で６００Ｗのモータ容量が必要であり、これらを構成する部品も２台分必要であり、それらの設置場所も必要で、部品も多くなり重量も重くなるものであった。
【０００５】
そのため、１台のモータに電磁クラッチを介して２台のポンプを運転駆動制御することが考えられるが、電磁クラッチは高価で、かつ比較的大きな寸法なので、コストダウンや設置スペースの削減がはかれない。
【０００６】
【課題を解決するための手段】
本発明は、上記のような点に鑑みたもので、上記の課題を解決するために、偏平形ブラシレス直流モータの両側に出力軸を配設してこれらの出力軸にワンウェイローラー型のクラッチを介してモータの左右に各ポンプのポンプ回転軸をそれぞれ係合して、モータの回転方向により一方のポンプを駆動して他方のポンプを停止状態とし、上記直流モータとしてポンプ負荷の大きい方のモータ容量とし、小さい方の負荷のポンプを作動するときにはその小さな最適な出力まで低下して効率よく駆動するようにしたことを特徴とするタンデムポンプを提供するにある。
【０００７】
【発明の実施の形態】
本発明のタンデムポンプは、偏平形ブラシレス直流モータの両側に出力軸を配設してこれらの出力軸にワンウェイローラー型のクラッチを介してモータの左右に各ポンプのポンプ回転軸をそれぞれ係合して、モータの回転方向により一方のポンプを駆動して他方のポンプを停止状態とし、上記直流モータとしてポンプ負荷の大きい方のモータ容量とし、小さい方の負荷のポンプを作動するときにはその小さな最適な出力まで低下して効率よく駆動するようにしたことを特徴としている。
【０００８】
タンデムポンプ１のモータ２は、プリントモータやアキシャルフラックス形の偏平形ブラシレス直流モータとした薄型化したもので、図１のようにその両側に出力軸３、４をそれぞれ突設して、ワンウェイローラー型のクラッチ５、６を介してポンプ７、８のポンプ回転軸９、１０を軸着している。
【０００９】
上記モータ２の容量は、左右のポンプ７、８の負荷の大きい方に見合ったものとし、公知の手段でマイコンの出力等の小さい容量で正逆転、発停等の制御を行えるようにしている。１１は、モータ駆動回路部である。
【００１０】
また、上記したワンウェイローラー型のクラッチ５、６は、図２のように金属ハウジングのシェル形ローラクラッチで、スプリングがクラッチ内に組み込まれ、一回転方向のみのトルクを伝達できるようになっていて、左右のクラッチ５、６を伝達回転方向が相互するものとして配設し、モータ２の回転方向により一方のポンプ７または８のみを運転駆動し、他方のポンプ８または７を停止するようにしている。
【００１１】
ポンプ７、８は、通常のものや、マグネットカップリング式のものが使用でき、左右のポンプ７、８は所要の用途に合わせて使用できる。
【００１２】
【実施例】
図１は、本発明のタンデムポンプ１の一実施例を示すものである。中央のモータ２は、プリントモータの偏平形ブラシレス直流モータとした薄型化したもので、そのモータケース１２の両側端のブラケット１３、１４には、モータ２の出力軸３、４の軸受部１５、１６を設けて出力軸３、４の端部を側方へそれぞれ突出している。
【００１３】
そして、上記左右のブラケット１３、１４の外側には、図１のように左右のポンプ７、８のポンプ回転軸９、１０を接続するための連結用軸受部１７、１８をそれぞれ配設して、ポンプの回転軸９、１０の軸端のカップ状の軸端部１９、２０を連結用軸受部１７、１８に嵌着しているとともに、カップ状の軸端部１９、２０にモータ２の出力軸３、４の端部をワンウェイローラー型のクラッチ５、６を介して嵌着して連結している。２１、２２はポンプ７、８の回転軸９、１０の軸受である。
【００１４】
上記ワンウェイローラー型のクラッチ５、６は、互いに逆の伝達回転方向のものとしていて、モータ１の回転方向によって左右いずれかのポンプ６、７を駆動できる。なお、ワンウェイローラー型のクラッチとしては、日本精工株式会社のＦＣＢ−１６型やＦＣＢ−１２型が使用できる。
【００１５】
また、図示していないが、モータ２の制御は、マイコン制御による駆動回路部１１で正逆転、発停制御を行うようにしているとともに、左右のポンプ容量に対応した出力の最小の省エネルギーとなるようにインバーター制御している。
【００１６】
たとえば、モータ２を右回転すれば、右のクラッチ５でモータ２の出力軸３とポンプ６のポンプ回転軸９とが噛み合って右のポンプ６を回転駆動でき、左のポンプ７は左のクラッチ６がロックしなくて噛み合わず駆動されない。また、モータ２を左回転すれば、上記と逆となって左のポンプ７のみを回転駆動できる。
【００１７】
したがって、モータを薄状にできてタンデムポンプを小型化でき、省スペース型にでき、かつ１台のモータの回転方向をかえるだけで２台のポンプの片方のみを運転でき、ポンプを２台別々に設置するのに比べて、小型で、軽量化でき、しかも駆動回路部を介してポンプ負荷に応じた駆動とすることができる。
【００１８】
【発明の効果】
以上のように本発明にあっては、モータを薄状にできてタンデムポンプを小型化でき、省スペース型にでき、かつ１台のモータの回転方向をかえるだけで２台のポンプの片方のみを運転でき、ポンプを２台別々に設置するのに比べて、小型で、軽量化でき、しかも駆動回路部を介してポンプ負荷に応じた駆動とすることができる。
【００１９】
また、モータとポンプをワンウェイローラー型のクラッチを介して接続するので、安価に小型に形成できる。
【００２０】
そして、直流モータとしてポンプ負荷の大きい方のモータ容量とし、小さい方の負荷のポンプを作動するときにはその小さな最適な出力まで低下して効率よく駆動することによって、容量の異なる２台のポンプであっても、１台のモータで効率よく、左右のポンプ容量に対応した出力の最小の省エネルギーで回転駆動できる。
【００２１】
また、モータの両側のブラケット部にワンウェイローラー型のクラッチ取付部をそれぞれ配設し、このクラッチ取付部にワンウェイローラー型のクラッチを装着してポンプの回転軸をそれぞれ軸着することによって、ワンウェイローラー型のクラッチを介してモータとポンプを安定して接続することができる。
【００２２】
そしてまた、２台のポンプが同時に動作しない食器洗浄用のもので、１台のポンプは洗浄液の循環用で、他の１台のポンプは濯ぎの温水圧送用であることによって、ポンプ分野における食器洗浄用等の同時に２台のポンプが運転されることがないタンデムポンプのモータを上記のように薄状にできてタンデムポンプを小型化でき、省スペース型にできる。
【図面の簡単な説明】
【図１】  本発明の一実施例の側断面図、
【図２】  同上のワンウェイローラー型のクラッチの説明図。
【符号の説明】
１…タンデムポンプ        ２…モータ            ３、４…出力軸
５、６…クラッチ          ７、８…ポンプ          ９、１０…ポンプ回転軸
【図１】
0004291893.tif 000002
【図２】
0004291893.tif 000003